(57)【特許請求の範囲】
【請求項１】
携帯端末本体の側面及び背面を覆う着脱自在なカバーと、該カバーを該携帯端末本体にロックするロック部材とを有する携帯端末において、
上記カバーは、
上記携帯端末本体の背面を覆う背面部と、
上記携帯端末本体の側面を覆う側面部と、
上記側面部の周縁に形成された平坦な端面と、
上記側面部の内周に上記携帯端末本体側へ向かって延びるように突設されたカバー側係合部と、
上記側面部における上記カバー側係合部に対向する位置に切り欠かれたカバー側ロック部材用切欠と、
上記カバー側ロック部材用切欠の内周から突出する被係合部とを備え、
上記携帯端末本体は、
上記カバーの端面と密閉状に重なり合う平坦な本体側フランジと、
上記カバー側係合部が係合される係合孔と、
上記カバー側ロック部材用切欠に嵌合される膨出部と、
上記膨出部に形成された嵌合穴とを備え、
上記ロック部材は、
上記嵌合穴に挿入される第１突出部と、
上記第１突出部と上記携帯端末本体の厚さ方向に間隔をあけて設けられて該第１突出部と共に上記被係合部を挟み込む第２突出部と、
上記膨出部に挿入され、引き出し及び差し込み可能な連結部とを備え、
上記第１突出部は、上記連結部に対して上記携帯端末本体の厚さ方向反対側の上記本体側フランジと上記端面との合わせ面近傍に設けられ、
上記第２突出部は、上記連結部と上記第１突出部との上記厚さ方向中間に設けられ、
上記ロック部材を上記膨出部に向けて上記ロック部材用切欠の上から嵌合させることにより、上記カバーが上記携帯端末本体にロックされるように構成されている
ことを特徴とする着脱自在なカバーを有する携帯端末。
【発明の詳細な説明】
【技術分野】
【０００１】
本発明は、携帯端末本体の側面及び背面を覆う着脱自在なカバーを有する携帯端末に関するものである。
【背景技術】
【０００２】
従来より、携帯端末は、バッテリーを覆う着脱自在な電池蓋を備えている。この電池蓋は、使用時には落下等の衝撃によって外れない必要がある反面、外すときには、容易に外せるようにする必要がある。
【０００３】
そこで、例えば、特許文献１の電子機器装置の電池収納部におけるケース体と電池カバーとのロック機構では、ケース体の係合リブと電池カバーの係合爪とにおいて、その嵌合係止する面に傾斜面と垂直面とから隙間を形成し、電子機器装置の電池収納部の係合リブと電池カバーの係合爪との嵌合係止に際し、寸法調整を不要とし、成型のばらつきによるロック不良の発生を防止している。
【０００４】
また、特許文献２では、筐体に対しロック部材を回転させて着脱可能な蓋を備えた携帯電話端末において、蓋にロック部材が貫通する孔と、その孔の周囲内面に位置し、ロック部材に備えられるロック爪が、ロック部材の回転により係脱自在となるロック片とを設け、電池蓋の固定を確実にしている。
【先行技術文献】
【特許文献】
【０００５】
【特許文献１】特開平１１−２８８７００号公報
【特許文献２】特開２００９−２９０８３２号公報
【発明の概要】
【発明が解決しようとする課題】
【０００６】
しかしながら、上記特許文献１のロック構造では、電池カバーがケース体に堅固に固定できるものの、カバーを取り外しにくいという問題がある。
【０００７】
また、上記特許文献２では、ロック部材を回転させることで容易に蓋を着脱できるものの、ロック部材をつまんで回すためには筐体側にある程度大きなロック部材を設けざるを得ず、蓋側にもロック部材及びロック片を通過させるための大きな孔を形成しなければならず、構成が複雑になる。
【０００８】
本発明は、かかる点に鑑みてなされたものであり、その目的とするところは、簡単な構成で容易に着脱できると共に、衝撃等で簡単には外れないカバーを得ることにある。
【課題を解決するための手段】
【０００９】
上記の目的を達成するために、この発明では、ロック部材の第１突出部及び第２突出部で、カバーと携帯端末本体側とをロックするようにした。
【００１０】
具体的には、第１の発明では、携帯端末本体の側面及び背面を覆う着脱自在なカバーと、該カバーを該携帯端末本体にロックするロック部材とを有する携帯端末を前提とする。
【００１１】
そして、上記カバーは、
上記携帯端末本体の背面を覆う背面部と、
上記携帯端末本体の側面を覆う側面部と、
上記側面部の周縁に形成された平坦な端面と、
上記側面部の内周に上記携帯端末本体側へ向かって延びるように突設されたカバー側係合部と、
上記側面部における上記カバー側係合部に対向する位置に切り欠かれたカバー側ロック部材用切欠と、
上記カバー側ロック部材用切欠の内周から突出する被係合部とを備え、
上記携帯端末本体は、
上記カバーの端面と密閉状に重なり合う平坦な本体側フランジと、
上記カバー側係合部が係合される係合孔と、
上記カバー側ロック部材用切欠に嵌合される膨出部と、
上記膨出部に形成された嵌合穴とを備え、
上記ロック部材は、
上記嵌合穴に挿入される第１突出部と、
上記第１突出部と上記携帯端末本体の厚さ方向に間隔をあけて設けられて該第１突出部と共に上記被係合部を挟み込む第２突出部と、
上記膨出部に挿入され、引き出し及び差し込み可能な連結部とを備え、
上記第１突出部は、上記連結部に対して上記携帯端末本体の厚さ方向反対側の上記本体側フランジと上記端面との合わせ面近傍に設けられ、
上記第２突出部は、上記連結部と上記第１突出部との上記厚さ方向中間に設けられ、
上記ロック部材を上記膨出部に向けて上記ロック部材用切欠の上から嵌合させることにより、上記カバーが上記携帯端末本体にロックされるように構成されている。
【００１２】
そして、上記ロック部材を上記膨出部に向けて上記ロック部材用切欠の上から嵌合させることにより、上記カバーが上記携帯端末本体にロックされるように構成されている。
【００１３】
上記の構成によると、カバー側係合部を携帯端末本体の係合孔に係合させた状態でカバーで携帯端末本体の背面及び側面を覆い、ロック部材をロック部材用切欠の上から携帯端末本体の膨出部に嵌合させると、ロック部材の第１突出部が嵌合穴に嵌合され、この第１突出部とロック部材の第２突出部とでカバーの被係合部が挟み込まれ、結果としてロック部材がカバーの被係合部と、携帯端末本体の嵌合穴とが広がるのを防止するので、ロック部材を取り外さない限り、カバーが携帯端末本体から外れることはない。一方、ロック部材をロック部材用切欠から取り外すと、被係合部のロックが外れ、カバーが容易に外れる。そして、カバーを合わせ面から取り外そうとする力が加わっても、被係合部が第２突出部に当接してカバーが外れることはない。
【発明の効果】
【００１４】
以上説明したように、本発明によれば、ロック部材の第１突出部を携帯端末本体の膨出部に嵌合させ、この第１突出部と第２突出部とでカバーの被嵌合部を挟み込むことで、カバーが外れないようにしたことにより、簡単な構成で容易に着脱できると共に、衝撃等で簡単には外れないカバーが得られる。
【図面の簡単な説明】
【００１５】
【図１】本実施形態の携帯端末のカバーの分解斜視図である。
【図２】携帯端末の正面側を示す斜視図である。
【図３】携帯端末の背面側を示す斜視図である。
【図４】携帯端末を示す背面図である。
【図５】図４のＶ−Ｖ線断面図である。
【図６】携帯端末本体の背面側を示す斜視図である。
【図７】カバーの正面側を示す斜視図である。
【図８】外側部材単体の正面側を示す斜視図である。
【図９】環状補強部材が嵌め込まれた外側部材の正面側を示す斜視図である。
【図１０】ＵＳＢ端子用蓋を取り外す様子を背面側から見た斜視図である。
【図１１】ＵＳＢ端子用蓋を取り外した状態のＵＳＢ端子用蓋及びその周辺を示す背面図である。
【図１２】カバーを携帯端末本体から剥がす様子を示す側面図である。
【図１３】カバーを携帯端末本体から剥がす様子を背面側から見た斜視図である。
【発明を実施するための形態】
【００１６】
以下、本発明の実施形態を図面に基づいて説明する。
【００１７】
図２〜図５は本発明の実施形態の携帯端末１を示し、例えば、この携帯端末１は携帯電話機と携帯情報端末とを融合させた、いわゆるスマートフォンである。なお、以下の説明では、携帯端末１の上下を上下方向とし、左右を左右方向とする。
【００１８】
携帯端末１は、正面側に平坦な表示部２を有する。表示部２は、液晶ディスプレイでも有機液晶ディスプレイでもよく、さらに２次元画像だけでなく、３次元画像を表示可能に構成してもよい。表示部２の下側には例えば３つの機能ボタン３が設けられ、これらは例えば、通話開始ボタン、ロックボタン及び通話終了ボタンよりなる。表示部２は、平坦なアクリル板２ａで覆われ、タッチパネル４を有する。アクリル板２ａは、携帯端末本体５の外周を形成する本体側フランジ２ｂの内周側に嵌め込まれている。本実施形態の携帯端末１は、例えば、正面視で湾曲した上下方向に長い豆型を有する。そして、この携帯端末本体５の側面５ａ全体及び背面５ｂ全体が着脱自在なカバー１０で覆われている。なお、携帯端末１の形状は、このような正面視豆型のものに限定されず、丸みの少ない略矩形状のものであってもよい。但し、丸みが多い方が見た目やさわり心地がよい上に後述する内側部材２０の圧縮成形が容易である。
【００１９】
図６に示すように、携帯端末本体５の背面側の上側には、例えば、カメラ部６、フラッシュ部７、スピーカ部８、赤外線センサ部９等が配置されている。それに対応させて図７に示すように、カバー１０には、カメラ窓１１、フラッシュ窓１２、スピーカ窓１３、赤外線センサ用窓１４が形成されている。図６に示すように、携帯端末本体５の背面側の下側には、バッテリー収容部１５が凹陥され、このバッテリー収容部１５には図示しないバッテリーが収容されるようになっている。また、カード挿入部１８も複数箇所に設けられている。すなわち、カバー１０を外すことで、携帯端末本体５の背面側が露出し、バッテリーやカード類を脱着したり、内部の修理を行ったりできるようになっている。図１０に示すように、携帯端末本体５の上端には、バッテリーに充電したり、データのやりとりをするためのＵＳＢ端子１９ａを内蔵する膨出部１９が設けられ、図４に示すように、このＵＳＢ端子１９ａを詳細を後述するロック部材としてのＵＳＢ端子用蓋１７が開閉可能に覆っている。
【００２０】
そして、図１に分解して示すように、カバー１０は、平坦な内側平板部２１及びこの内側平板部２１に連続する内側湾曲部２２を有する内側部材２０を備える。本実施形態では、例えば、内側部材２０は、ＡＢＳ樹脂などの射出成形による樹脂成形品よりなり、その厚さは１ｍｍ程度である。なお、内側部材２０をアルミニウム合金、マグネシウム合金などの金属成形品で構成してもよいが、樹脂成形品の方が、複雑な形状を一度に成形できて製造コストが安く、軽量で無線に対して悪影響を及ぼさない点で望ましい。
【００２１】
一方、カバー１０は、内側平板部２１に当接し、この内側平板部２１を覆う平坦な外側平板部３１及び、この外側平板部３１に連続して内側湾曲部２２を覆う外側湾曲部３２を有する外側部材３０を備える。この外側部材は、例えば、ヒノキなどの木材を圧縮して成形したものよりなる。ヒノキであれば、機械的強度が高く、よい香りがする上に抗菌効果もある。内側平板部２１及び外側平板部３１が携帯端末本体５の背面を覆うカバー１０の背面部を構成し、内側湾曲部２２及び外側湾曲部３２が携帯端末本体５の側面５ａを覆うカバー１０の側面部を構成している。
【００２２】
詳しく説明すると、内側部材２０の内側平板部２１は、図５に断面で示すようにほぼ完全な平坦でなくても、一部の断面が若干湾曲していてもよい。内側湾曲部２２は、断面円弧状に滑らかに湾曲している。例えば、内側平板部２１の範囲は、図４に破線で例示するように、携帯端末本体５のカメラ部６、フラッシュ部７、スピーカ部８、赤外線センサ部９、バッテリー収容部１５等が形成された領域に相当する。なお、内側平板部２１と内側湾曲部２２との境界は必ずしも明確である必要はない。図１及び図７に示すように、内側部材２０には、カメラ窓１１ａ、フラッシュ窓１２ａ、スピーカ窓１３ａ及び赤外線センサ用窓１４ａよりなる貫通孔が形成されている。図１及び図５に示すように、内側部材２０の内側湾曲部２２には、外側へ広がり、外側湾曲部３２の端面３２ａが当接するカバー側フランジ２３が形成されている。ＵＳＢ端子用蓋１７に対応して内側部材２０の上端には、カバー側ロック部材用切欠としての内側端子用開口２４が切り欠かれている。図７に示すように、内側部材２０の下端には、携帯端末本体５の下端に設けた係合孔５ｃに係合するカバー側係合部２５が携帯端末本体５側へ、すなわち上方に突出するように一体形成されている。なお、図１に示すように、内側部材２０の正面側の外周には、カバー１０を携帯端末本体５に着脱自在に係合するための弾性変形可能な係合爪としての金属バネ１６を収容するバネ収容部２６が間隔をあけて凹陥され、各バネ収容部２６のカバー側フランジ２３側には、金属バネ１６の先端１６ａを露出させるためのバネ用開口２７が設けられている。なお、図６に示すように、携帯端末本体５には、この金属バネ１６の先端１６ａが係合する係合突起５ｄが突設されている。なお、内側部材２０の内側平板部２１の下端側には、バッテリーとの干渉を避けるための三角形状切欠２８が形成されている。
【００２３】
外側部材３０の外側平板部３１も内側平板部２１と同様に完全に平坦である必要はなく、断面が若干湾曲していてもよい。その範囲も内側平板部２１と同様である。外側湾曲部３２は、内側湾曲部２２と同様に断面円弧状に滑らかに湾曲している。図４に示すように、外側部材３０においては、木材の含水による変形の大きい方向を携帯端末１の幅方向とし、含水による変形の小さい方向を携帯端末１の長手方向とするように木材の木目３０ａが配置されている。具体的には、図４に例示するように、外側部材３０の板目の山形の頂点部分が携帯端末１の上下方向に向くように木目３０ａが配置され、木目３０ａの直線状部分が上下方向に伸びている。一方、木目３０ａの直線状部分が携帯端末１の幅方向に伸びるような木目３０ａの配置は、木材の膨張の影響が大きくなって望ましくない。なお、図４以外の図では、木目３０ａは省略している。
【００２４】
図８に示すように、外側部材３０には、カメラ窓１１ｂ、フラッシュ窓１２ｂ、スピーカ窓１３ｂ及び赤外線センサ用窓１４ｂよりなる貫通孔が形成されている。詳しくは図示しないが、小さな貫通孔よりなるスピーカ窓１３ｂ以外の各貫通孔にはザグリ３３が形成されている。図１に示すように、これらの貫通孔の内周には、フランジ４０ａ付きの環状補強部材４０が嵌め込まれている。フランジ４０ａは、ザグリ３３に嵌め込まれて位置決めされて抜け止めされている。図３等に示すように、見映えや触感を重視し、環状補強部材４０は、嵌め込まれた状態でその表面側が外側部材３０の表面と段差がないようになっている。一方、図９に示すように、フラッシュ窓１２ｂ及び赤外線センサ用窓１４ｂに対応するフランジ４０ａについては、外側部材３０の裏面と段差がないように嵌め込まれているが、カメラ窓１１ｂについては、フランジ４０ａが外側部材３０の裏面よりも若干突出した突出部４０ｂを形成している。ＵＳＢ端子用蓋１７に対応して外側部材３０の上端には、上記内側端子用開口２４よりも若干大きく、外側端子用開口３４が切り欠かれている。
【００２５】
この突出部４０ｂに対応して内側部材２０には、図１に示すように、突出部４０ｂが嵌め込まれる凹陥部４１が形成されている。このことで、凹陥部４１と突出部４０ｂとで、内側部材２０と外側部材３０との位置決めが行われるように構成されている。
【００２６】
そして、外側部材３０の肉厚は、例えば、１．５ｍｍであり、図５に示す内側部材２０のカバー側フランジ２３の幅Ｗは、このカバー側フランジ２３の内周が外側湾曲部３２が最も収縮したときの内周と同一位置又はそれよりも内側にあり、外側湾曲部３２が最も膨らんだときの内周よりも外側にあるように設定されている。言い換えれば、外側湾曲部３２が最も収縮したときに内側湾曲部２２の外面に強く接触せず、外側湾曲部３２が最も膨らんだときに内側湾曲部２２との間に隙間が生じないようになっている。この実施形態では、例えばカバー側フランジ２３の幅は１ｍｍである。なお、外側部材３０の肉厚は、薄い方が圧縮成形は容易であり、本実施形態の外側部材３０は、内側部材２０との二重構造であるため、１．５ｍｍ程度に薄くすることができる。外側部材３０の膨張度合いや肉厚に合わせてカバー側フランジ２３の幅を調整するとよい。
【００２７】
図５に例示するように、本実施形態のカバー１０では、内側平板部２１と外側平板部３１とが接着剤４２又は両面テープ４２により接着されている。一方、内側湾曲部２２及び外側湾曲部３２における携帯端末本体５の長手方向に伸びる側面５ａ、すなわち左右側面を覆う部分は互いに非接着となっている。場合によっては、携帯端末本体５の上下側の側面５ａを覆う内側湾曲部２２及び外側湾曲部３２を若干接着することは可能である。接着剤４２を塗布する範囲は、厳密には特定されないが、要は、木材の収縮の大きい携帯端末１の幅方向（左右方向）で接着を行わず、木材の膨張及び収縮を許容させるようにするとよい。なお、接着剤４２がはみ出さないように、貫通孔１１ｂ，１２ｂ，１３ｂ，１４ｂ、三角形状切欠２８、ザグリ３３等の周辺では接着しない。
【００２８】
本実施形態の携帯端末１は、表面側にタッチパネル４を含む表示部２が設けられ、背面５ｂ及び側面５ａがカバー１０で覆われているので、手触りがよく、コンパクトで操作性のよいものとなっている。
【００２９】
そして、本実施形態のＵＳＢ端子用蓋１７は、カバー１０のロック部材としての機能を有している。この機能について具体的に説明する。
【００３０】
内側湾曲部２２における内側端子用開口２４は、カバー側係合部２５に対向する位置に角部が丸みを帯びた略矩形状に切り欠かれている。図１，図７及び図１１に示すように、内側端子用開口２４の対向する左右の側壁から左右内側へ突出するように被係合部２４ａが形成されている。被係合部２４ａは、上面が湾曲して丸みを帯び、下面が平坦で正面及び背面も平坦に形成されている。内側端子用開口２４に膨出部１９が嵌め込まれた状態で、被係合部２４ａの下面が膨出部１９の上面と当接するか又は若干隙間があけられている。
【００３１】
図１３に示すように、膨出部１９のカバー側フランジ２３側（上面側）には、一対の嵌合穴１９ｂが凹陥されている。嵌合穴１９ｂの反対側の連結部用孔１９ｃにＵＳＢ端子用蓋１７の連結部１７ａが挿入され、図示しない連結部１７ａの抜け止めが連結用孔１９ｃの周縁に引っ掛かることで、ＵＳＢ端子用蓋１７が抜け止めされ、引き出し及び差し込み可能となっている。
【００３２】
図４，図１０〜図１２に示すように、ＵＳＢ端子用蓋１７は、上方から見て内側端子用開口２４に対応して左右に長い丸みを帯びた略矩形状であり、その表面は外側湾曲部３２の表面と高さが同じとなるように滑らかに湾曲した表面を有する。連結部１７ａと反対側の携帯端末本体５とカバー１０との合わせ面、すなわちカバー側フランジ２３の近傍に位置付けられる部分には、一対の嵌合穴１９ｂにそれぞれ挿入される一対の第１突出部１７ｂが下方に向けて突設されている。また、この第１突出部１７ｂと背面側に間隔をあけて左右一対の第２突出部１７ｃが設けられている。言い換えれば、この第２突出部１７ｃは、連結部１７ａと第１突出部１７ｂとの間に設けられている。そして、ＵＳＢ端子用蓋１７で膨出部１９を塞いだときに、この第２突出部１７ｃと第１突出部１７ｂとで被係合部２４ａを挟み込むように構成されている。このとき、第２突出部１７ｃと被係合部２４ａとは、接触しているか又は接近している必要があり、第１突出部１７ｂは、被係合部２４ａと離れていてもよい。
【００３３】
−カバーの着脱方法−
次に、本実施形態にかかる携帯端末のカバー１０の取り外し方法について説明する。
【００３４】
まず、図１０及び図１１に携帯端末１の背面側を示すように、ＵＳＢ端子用蓋１７の正面側の爪掛け部１７ｄに爪を引っ掛けてＵＳＢ端子用蓋１７を引き出す。このとき、被係合部２４ａの上面が丸まっているので、第１突出部１７ｂが被係合部２４ａと干渉せず、簡単にＵＳＢ端子用蓋１７を引き出すことができる。
【００３５】
すると、ＵＳＢ端子用蓋１７が連結部１７ａで引っ掛かった状態で止まる。このことで、第１突出部１７ｂが嵌合穴１９ｂから引き出され、この第１突出部１７ｂと第２突出部１７ｃとで挟み込まれていた被係合部２４ａが第１突出部１７ｂ及び第２突出部１７ｃから離れてカバー１０と携帯端末本体５とのロックが解除される。
【００３６】
次いで、図１２及び図１３に示すように、例えば、位置Ａのカバー側フランジ２３の端面２３ａに右手の爪先を掛け、位置Ｂに左手の爪先を掛けて上下に引き離すように力を加えると、すでにロックは解除されているので、各金属バネ１６の先端１６ａが係合突起５ｄを乗り越えるだけの力を加えれば、カバー１０が簡単に開く。
【００３７】
最後に位置Ｃのカバー側係合部２５と係合孔５ｃとの係合を解除すれば、カバー１０を携帯端末本体５から簡単に取り外すことができる。このことで、携帯端末本体５の背面側が露出し、バッテリーやカード類を脱着したり、内部の修理を行ったりできる。カバー１０は着脱可能なので、複数カバー１０を用意しておけば、着せ替えも可能であり、商品価値が向上する。
【００３８】
逆にカバー１０を取り付けるときには、上記と逆の動作を行えばよい。カバー側係合部２５を携帯端末本体５の係合孔５ｃに係合させた状態でカバー１０で携帯端末本体５の背面５ｂ及び側面５ａを覆い、ＵＳＢ端子用蓋１７を内側端子用開口２４の上から携帯端末本体５の膨出部１９に嵌合させると、第１突出部１７ｂが嵌合穴１９ｂに嵌合され、この第１突出部１７ｂと第２突出部１７ｃとで被係合部２４ａが挟み込まれ、結果としてＵＳＢ端子用蓋１７がカバー１０の被係合部２４ａと、携帯端末本体５の嵌合穴１９ｂとが広がるのを防止する。さらにカバー側係合部２５と係合孔５ｃとの結合と、金属バネ１６の弾性力とによりカバー１０が携帯端末本体５に堅固に固定されるので、ＵＳＢ端子用蓋１７を取り外さない限り、カバー１０が携帯端末本体５から外れることはない。
【００３９】
このように、従来より用いられている接続用端子を覆う端子用蓋であるＵＳＢ端子用蓋１７をロック部材として兼用することにより、部品点数が減ると共に、外観が悪化しない。
【００４０】
また、表面側の表示部２の周縁に本体側フランジ２ｂが形成され、背面５ｂ及び側面５ａがカバー１０で覆われた状態でカバー１０の端面２３ａが本体側フランジ２ｂに密着すると共に、ＵＳＢ端子用蓋１７の表面の高さが内側端子用開口２４の周縁表面の高さと等しくなるので、携帯端末１の表面が連続して外観がよい。このため、一見すると、カバー１０を取り外しにくいが、ＵＳＢ端子用蓋１７を取り外せば、カバー１０が容易に取り外せる。
【００４１】
したがって、本実施形態によると、簡単な構成で容易に着脱できると共に、衝撃等で簡単には外れないカバー１０が得られる。
【００４２】
（その他の実施形態）
本発明は、上記実施形態について、以下のような構成としてもよい。
【００４３】
すなわち、上記実施形態では、カバー１０を内側部材２０と外側部材３０との二重構造としたが、内側部材２０相当の樹脂成形品のみで構成してもよい。
【００４４】
また、上記実施形態では、ストレートタイプの携帯端末１としたが、表示部筐体が背面側筐体に対して回転する携帯端末や、表示部筐体が背面側筐体に対してスライドする携帯端末においては、背面側筐体の側面及び背面を覆うカバーに対して本発明を適用することができる。
【００４５】
上記実施形態では、携帯端末は、スマートフォンとしたが、ＰＨＳ（Personal Handy-phone System ）、ＰＤＡ(Personal Digital Assistant)、パソコン、モバイルツール、電子辞書、電卓、ゲーム機等であってもよい。
【００４６】
なお、以上の実施形態は、本質的に好ましい例示であって、本発明、その適用物や用途の範囲を制限することを意図するものではない。
【符号の説明】
【００４７】
１      携帯端末
２      表示部
２ｂ      本体側フランジ
４      タッチパネル
５      携帯端末本体
５ａ    背面
５ｂ    側面
５ｃ    係合孔
１０      カバー
１６      金属バネ（弾性変形可能な係合爪）
１７      ＵＳＢ端子用蓋（ロック部材）
１７ａ    連結部
１７ｂ    第１突出部
１７ｃ    第２突出部
１９      膨出部
１９ｂ    嵌合穴
２０      内側部材
２１      内側平板部（背面部）
２２      内側湾曲部（側面部）
２４      内側端子用開口（カバー側ロック部材用切欠）
２４ａ    被係合部
２５      カバー側係合部
３０      外側部材
３１      外側平板部（背面部）
３２      外側湾曲部（側面部）
３２ａ    端面
【図１】
0005159861.tif 000002
【図２】
0005159861.tif 000003
【図３】
0005159861.tif 000004
【図４】
0005159861.tif 000005
【図５】
0005159861.tif 000006
【図６】
0005159861.tif 000007
【図７】
0005159861.tif 000008
【図８】
0005159861.tif 000009
【図９】
0005159861.tif 000010
【図１０】
0005159861.tif 000011
【図１１】
0005159861.tif 000012
【図１２】
0005159861.tif 000013
【図１３】
0005159861.tif 000014